(57)【要約】【課題】  光源として放電ランプを用いた投射型表示装置では、電源オン後、放電ランプが点灯するまで、チューナで受信した番組を視聴できなかった。【解決手段】  放電ランプが点灯し表示手段が投影可能な状態になるまで、チューナの受信番組を記録再生手段に記録しておき、表示手段で投影可能となったら、記録再生手段で書き込みより読み出しを早くする追いかけ再生を行い、表示手段で表示する。そして、記録再生手段からの読み出しが記録に追い付いた所でオンエア放送に切り替える。【選択図】  図１
2008147803.tif 000002
【特許請求の範囲】
【請求項１】
デジタル放送を受信し復調した所望番組のトランスポートストリームを出力するチューナと、
前記チューナで受信されたトランスポートストリームを記録し、前記記録されたトランスポートストリームを記録する速度より早い速度で出力する記録再生部と、
前記チューナ又は記録再生部から出力されたトランスポートストリームを復号する復号部と、
前記復号部で復号された番組映像を映像信号源として拡大投影する光源に放電ランプを用いた表示部と、
前記放電ランプの点灯を検出する放電ランプ点灯検出部と、
前記チューナから出力されるトランスポートストリームから現在放送されているシーンの時刻情報である放送時刻情報を抽出する放送時刻取得部と、
前記記録再生部から出力されるトランスポートストリームから現在再生されているシーンの時刻情報である再生時刻情報を抽出する再生時刻取得部と、
前記記録再生部に前記チューナから出力されたＴＳを記録再生部に記録させるとともに記録再生部から出力されるトランスポートストリームを前記復号部に供給し、前記放電ランプ点灯検出部で前記放電ランプの点灯を検出すると前記放送時刻取得部から放送時刻情報を取得し、前記再生時刻取得部から再生時刻情報を取得し、前記再生時刻取得情報と前記放送時刻取得情報が一致した場合には、前記チューナから出力されたトランスポートストリームを前記復号部に供給して復号させ前記表示部で表示させる制御部と
を備えることを特徴とする投射型表示装置。
【請求項２】
前記チューナから出力されるトランスポートストリームを前記記録再生部又は前記復号部のいずれに供給するかを選択できるスイッチ部を備えることを特徴とする請求項１に記載の投射型表示装置。
【請求項３】
前記スイッチ部は、電源投入時においては、前記チューナから出力されたトランスポートストリームを前記再生記録部に供給するように設定されていることを特徴とする請求項２に記載の投射型表示装置。
【請求項４】
前記記録再生部からのトランスポートストリーム出力速度は、前記記録再生部へのトランスポートストリームの１．１倍以上１．５倍以下であることを特徴とする請求項１から請求項３のいずれか一項に記載の投射型表示装置。
【請求項５】
デジタル放送を受信し復調した所望番組のトランスポートストリームを出力するチューナと、該チューナからの所望番組のトランスポートストリームを復号する復号部と、該復号部で復号された番組映像を映像信号源として拡大投影する光源に放電ランプを用いた表示部と、を含む投射型表示装置において、
前記チューナで選局された所望番組のトランスポートストリームを記録し再生する記録再生部と、該記録再生部から読み出されたトランスポートストリームか前記チューナからのトランスポートストリームかいずれか一方を選択して前記復号部に供給するスイッチ部と、前記放電ランプの点灯を検出する放電ランプ点灯検出部と、前記記録再生部に追いかけ再生を行わせるとともに、該記録再生部からの読み出しが該記録再生部への記録に追い付いたことを検出する追いかけ再生制御部とを備え、
電源起動時、前記追いかけ再生制御部は、前記チューナで選局された所望番組のトランスポートストリームを前記記録再生部に記録させ、前記放電ランプ点灯検出部で前記放電ランプの点灯を検出すると、前記記録再生部に追いかけ再生を指示し、該記録再生部から読み出されたトランスポートストリームを前記スイッチ部を介して前記復号部に供給して復号させ、前記表示部で表示させるようにすることを特徴とする投射型表示装置。
【請求項６】
請求項１に記載の投射型表示装置において、
前記追いかけ再生制御部は、前記追いかけ再生時、前記記録再生部からの読み出しが該記録再生部への記録に追い付いたことを検出すると、前記チューナで選局された所望番組のトランスポートストリームを前記スイッチ部を介して前記復号部に供給して復号させ、前記表示部で表示させるようにすることを特徴とする投射型表示装置。
【発明の詳細な説明】
【技術分野】
【０００１】
本発明は、放電ランプから射出された光を液晶パネルなどの映像表示素子で光強度変調して光学象を形成し、光学像をスクリーンに拡大投射する投射型表示装置に係り、特に、チューナを備え、電源立ち上げ時、放電ランプが点灯するまでにチューナで受信された番組映像を再生可能とする投射型表示装置に関する。
【背景技術】
【０００２】
投射型表示装置の光源としては、一般に、例えば超高圧水銀ランプやメタルハライドランプなどの放電ランプが用いられる。これらの放電ランプは、電源を投入し放電を開始させてから所定の光束を射出するまでの時間（以下、「光立ち上がり時間」と称する）が長い。具体的には、投射型表示装置の電源を投入してから例えばスクリーンに映像が投影されるまでに時間がかることになる。
【０００３】
そこで、放電ランプの光立ち上がり時間を短縮するため、放電ランプへのイグニッション電圧の供給時（すなわち放電ランプを点灯させる際）に、対称な波形の交流駆動電流ではなく、プラスになる期間がマイナスになる期間よりも長い非対称な波形に変換された交流駆動電流を放電ランプに供給する技術が提案されている（例えば、特許文献１参照）。
【０００４】
【特許文献１】特開２００３−２１７８８０号公報
【発明の開示】
【発明が解決しようとする課題】
【０００５】
電源を投入してから放電ランプが点灯して所定の光束を射出するまでの間、例えばスクリーンに映像が投影されないと、地上波テレビジョン放送などを受信できるチューナを搭載した所謂プロジェクションテレビの場合、放電ランプが点灯するまで間、例えばチューナで受信した映像を見ることができないという状態が生じる。つまり、見たい番組の放送時刻にプロジェクションテレビの電源を入れた場合でも、ニュース番組の先頭の重要ニュースを視聴しそこなったりすることになる。
【０００６】
本発明は、上記した実情に鑑みてなされたもので、その目的は、電源投入後放電ランプが点灯して所定の光束を射出するまでの間に受信された放送番組を見逃すことなく視聴できる投射型表示装置を提供することにある。
【課題を解決するための手段】
【０００７】
上記の目的を達成するために、放電ランプの点灯を検出すると追いかけ再生を行いものである。
【発明の効果】
【０００８】
本発明によれば、電源投入後放電ランプに所定電力が供給されるまで視聴することができなかった番組の部分を視聴することが可能になる。
【発明を実施するための最良の形態】
【０００９】
以下、図面を参照して本発明の最良の形態について説明する。なお、各図面において、共通な機能を有する要素については同一な符号を付して示し、一度説明した要素については、その説明を省略する。
【００１０】
図１は、本発明の実施例を示す投射型表示装置のブロック構成図である。
【００１１】
図１に示すように、投射型表示装置１は、地上波テレビジョンデジタル放送や衛星デジタル放送などを受信するアンテナ９８と、チューナ１００と、記録再生部１０１と、スイッチ１０２と、復号部１０３と、映像を表示するとともに音声を出力する表示部１０４と、表示部１０４に含まれる放電ランプの点灯を検出する放電ランプ点灯検出センサ１０５と、放送時刻取得部１０７と、再生時刻取得部１０８と、投射型表示装置１全体の制御を行う制御装置１１０と、が備えられている。
【００１２】
図１において、チューナ１００は、アンテナ９８から入力された地上波デジタル放送内の所望チャンネルの所望放送番組を受信して復調し、復調したトランスポートストリーム（以下、「ＴＳ」と省略する）を出力する。
【００１３】
チューナ１００には、記録再生部１０１が接続されている。記録再生部１０１は、チューナ１００からＴＳの供給を受けて、ＴＳの記録及びその再生を行う。また、記録再生部１０１は、追いかけ再生を行うようになっている。
【００１４】
追いかけ再生とは、チューナで受信した番組を記録しながら、それ以前に記録した過去の番組を記録速度よりも早い再生速度（読み出し速度）で再生し、現在放送されているオンエア放送（リアルタイム放送）のシーンに追い付くようにする再生をいう。具体的には、ＴＳ又はフレームを間引いて再生速度を上げることを行う。
【００１５】
記録再生部１０１は、追いかけ再生を始めると、チューナ１００からのＴＳを記録しながら、記録したＴＳを記録（書き込み）より速い速度で読み出す。通常、電源オンから放電ランプが点灯したと見なせるのは１分程度以下なので、読み出し速度は、記録（書き込み）速度のつまり通常再生速度の１．１倍から１．５倍程度が望ましい。１．５倍を越えると、早送りしていることがわかり、違和感が生じるので、違和感の生じない１．５倍以下とするのがよい。追いかけ再生が始まると、記録再生部１０１から読み出されたＴＳは、スイッチ１０２を通り、復号部１０３で復号され、復号された番組映像と番組音声が表示部１０４で再生される。つまり、表示部１０４が投影可能な状態になり、電源オン後からチューナ１００で受信復調され記録再生部１０１に記録された番組が、表示部１０４でスクリーン１０４４に投影され、視聴可能となる。
【００１６】
記録再生部１０１に内蔵される記録媒体１０１１には、いかなる記録媒体をも用いることができるが、好適には、着脱できないハードディスクドライブ（以下、「ＨＤＤ」という）を用いることが望ましい。着脱可能な記録媒体の場合、記録媒体が装着されてないと、本実施の形態にかかる発明を実施できなくなる為である。この他には、例えば、書き込みポートと読み出しポートを備え、読み出しおよび書き込みを同時に行うことが可能なデュアルポート半導体メモリを用いてもよい。
【００１７】
記録再生部１０２は、スイッチ１０２に接続されている。スイッチ１０２は、チューナ１００からのＴＳと記録再生部１０１から読み出されたＴＳとを切り替えを行うようになっている。スイッチ１０２は、電源起動時には、記録再生部１０１側にスイッチされている。
【００１８】
スイッチ１０２には、復号部１０３が接続されている。復号部１０３には、スイッチ１０２からＴＳが出力されるようになっている。ＴＳはＭＰＥＧ（Moving Picture Experts Group）圧縮されているので、復号部１０３は、ＭＰＥＧ圧縮されたＴＳを復号し、映像信号と音声信号を生成しするようになっている。
【００１９】
復号部１０３は、表示部１０４に接続されており、表示部１０４には、復号部１０３で生成された映像信号と音声信号が供給されるようになっている。
【００２０】
表示部１０４は、光源として放電ランプ１０４１を用いた公知の例えば背面投射型の表示部である。放電ランプ１０４１からの光は、図示しない照明光学系で例えば液晶パネルの映像表示素子１０４２に照射される。映像表示素子１０４２は、入力された映像信号に応じて照射光を変調して光学像（図示せず）を形成する。この光学像は、投射手段１０４３でスクリーン１０４４上に投影される。そして、表示部１０４に供給された音声信号は、増幅器（図示せず）を介して図示しないスピーカから出力される。
【００２１】
なお、本発明は、前面投射型投射型表示装置にも用いることができる。
【００２２】
投射型表示装置１には、放電ランプ点灯検出センサ１０５が備えられており、放電ランプ点灯検出センサ１０５は、表示部１０４に含まれる放電ランプ１０４１が、電源投入後、次第に温まって所定の光束を射出するのを検出するようになっている。
【００２３】
放電ランプの点灯の閾値は、任意に設定することができるが、例えば、所定電力が供給されて定常の点灯状態の時に射出される光束のほぼ５０％に達する光束検出を閾値とするものとする。即ち、定常時の半分の明るさを閾値とし、この閾値を越えると放電ランプが点灯したと判断するものとする。
【００２４】
放電ランプ点灯検出センサ１０５としては、例えば、受光素子を用いることができる。受光素子を用いる場合は、例えばスクリーン１０４４の有効照射領域（図示せず）の外側周縁部に複数（例えば２個）配置する。２個の場合は、それぞれ矩形状スクリーンの対角位置に配置し、その平均値をもって検出値とすることにより、信頼性良く検出が可能となる。
【００２５】
放電ランプ点灯検出センサ１０５として、受光素子の他に、例えば温度センサを用いてもよい。温度センサを用いる場合には、放電ランプ１０４１の近傍に配置する。
【００２６】
チューナ１００には、放送時刻取得部１０７が備えられており、放送時刻取得部１０７は、チューナ１００出力のＴＳから現在放送されているシーンの時刻に関する情報（以下、「放送時刻Ｔｐ」という）を取得するようになっている。
【００２７】
また、記録再生部１０１には、再生時刻取得部１０８が接続されており、再生時刻取得部１０８は、記録再生部１０１から読み出されたＴＳから現在再生されているシーンの時刻に関する情報（以下、「再生時刻Ｔｒ」という）を取得するようになっている。
【００２８】
投射型表示装置１には、制御装置１１０が備えられており、制御装置１１０は、図示しないメモリに格納されたプログラムに従って、図示しないＲＡＭを用いながら、所定の制御処理を行う演算制御手段であるＣＰＵ（Central Processing Unit：図示せず）で構成されている。また、制御装置１１０は、記録再生部１０１、放電ランプ点灯検出センサ１０５、放送時刻取得部１０７及び再生時刻取得部１０８と接続されている。
【００２９】
制御装置１１０は、投射型表示装置１全体の制御を行うようになっている。例えば、チューナ１００のチャンネル設定を行って所望番組を選局し、記録再生部１０１の記録および再生の制御を行い、スイッチ１０２の切り替え制御を行う。また、放送時刻取得部１０７と再生時刻取得部１０８と連動して、追いかけ再生制御手段１０を構成する。
【００３０】
制御装置１１０は、放電ランプ点灯検出センサ１０５からの入力を受けて、制御装置１１０に内蔵されている図示しないメモリ（不揮発性メモリ）に予め格納されている放電ランプ点灯判定閾値を用いて、放電ランプ１０４１が点灯したか否かを判定する。つまり、放電ランプ１０４１の点灯を検出する機能を有する。
【００３１】
また、制御装置１１０は、放電ランプ１０４１の点灯を検出すると、記録再生部１０１に追いかけ再生を指示し、再生映像を表示部１０４に表示させる。
【００３２】
追いかけ再生を行う場合、記録再生部１０１に記録されたＴＳから放送時刻取得部１０７で取得した放送時刻Ｔｐと記録再生部１０１より読み出したＴＳから再生時刻取得部１０８で取得した再生時刻Ｔｒ（この時刻は、以前記録したときの放送時刻）との時刻差から、表示部１０４に現在表示している記録再生部１０１の再生シーンと現在放送されている番組のシーンとの時刻差を取得し、この時刻差をもとに追いかけ再生を行うようになっている。
【００３３】
また、制御装置１１０は、逐次、放送時刻取得部１０７から放送時刻Ｔｐを取得し、再生時刻取得部１０８から再生時刻Ｔｒを取得する。そして、追いかけ再生時、記録再生部１０１の再生出力が現在放送されているオンエア放送のチューナ出力に対し、どの程度遅延しているかを算出する。そして、遅延時間（Ｔｐ−Ｔｒ）が０になれば、すなわち、記録再生部１０１からの読み出しが記録再生部１０１への記録に追い付いたことを検出したとき、スイッチ１０２をチューナ１００のＴＳ出力に切り替え、オンエア放送の番組映像を表示部１０４に表示させる。
【００３４】
このように、制御装置１１０は、放送時刻取得部１０７と再生時刻取得部１０８と連動して、追い付き検出手段、即ち、追いかけ再生制御手段１０を構成している。
【００３５】
上記においては、制御装置１１０は、放送時刻取得部１０７と再生時刻取得部１０８と連携して追い付き検出手段を構成していたが、例えば、図２に示すように放送時刻取得機能と、再生時刻取得機能と、これを基に追い付きを検出する機能と、を有する追い付き検出部を１１２別途備え、この追い付き検出部１１２からの情報に基づき、制御装置１１０で追いかけ再生制御を行うようにしてもよい。
【００３６】
また、放送時刻取得機能、再生時刻取得機能、及び追いつき検出機能を制御部に持たせ、制御装置１１０のみで追い付き再生制御を行うようにしてもよい。
【００３７】
投射型表示装置１に放送時刻取得部１０７と再生時刻取得部１０８を設けずに追い付き検出部を備えさせ、追い付き検出部にＴＳを記録媒体に記録する際にＴＳに付す書き込みポインタと、ＴＳを記録媒体から読み出すときにＴＳに付す読み込みポインタを比較して放送時刻が再生時刻に追いつたか否かを判定することとしてもよい。
【００３８】
具体的には、記録再生部１０１において、ＴＳを記録媒体１０１１に記録する際にそのＴＳの識別子と転送サイズとを示す書き込みポインタＡ１を付す。また、記録再生部１０１において、記録媒体１０１１からＴＳ読み出し時にそのＴＳの識別子と転送サイズとを示す読み込みポインタＡ２を付す。記録媒体１０１１へＴＳを記録している最中に、記録媒体１０１１に記録済みのＴＳを再生する場合、追い付き検出部は、書き込みポインタＡ１と、読み込みポインタＡ２とを比較し、書き込みポインタＡ１と読み込みポインタＡ２が一致した場合は、放送時刻が再生時刻に追いついたと判断する。一方、書き込みポインタＡ１と読み込みポインタＡ２が一致しない場合は、放送時刻が再生時刻に追いついていないものと判断する。
【００３９】
次に、追いかけ再生制御手段１０の追いかけ再生制御処理について、図３を用いて説明する。なお、ここでは、説明を容易とするため、電源オン時、電源オフする前に選択されていたチャネルを選局するものとする。
【００４０】
図３は、本実施例による追いかけ再生制御手段の一追いかけ再生制御処理フローである。
【００４１】
電源をオンすると、まず、制御装置１１０は、ステップ（以下、「ステップ」をＳで省略）１で、スイッチ１０２を初期位置に設定する。ここでは、記録再生側に設定する。次に、Ｓ２で、チューナ１００に電源オフする前に選択されていたチャネルを設定する。これにともない、チューナ１００は、該チャンネルの放送番組のトランスポートストリーム（ＴＳ）を出力する。次に、制御装置１１０は、Ｓ３で記録再生部１０１に対して記録を指示し、記録再生部１０１は記録を開始する。そして、Ｓ４で、放電ランプ１０４１が点灯したかチェックする。制御装置１１０は、放電ランプ点灯検出センサ１０５からの入力が放電ランプが点灯したと見なせる点灯閾値を越える場合にはＳ５に進み、点灯閾値以下であればＳ４の前に戻り、越えるまで逐次判定を繰り返す。
【００４２】
制御装置１１０は、Ｓ５に進むと、記録再生部１０１に追いかけ再生を指示する。
【００４３】
次に、制御装置１１０は、Ｓ６で、放送時刻取得部１０７から記録再生部１０１へ記録されるＴＳの放送時刻Ｔｐと、再生時刻取得部１０８から読み出されるＴＳの再生時刻時刻Ｔｒとを取得し、遅延時間（Ｔｐ−Ｔｒ）を算出する。そして、Ｓ７で遅延時間（Ｔｐ−Ｔｒ）が０であるかチェックする。０でなければ、Ｓ６に戻り、遅延時間（Ｔｐ−Ｔｒ）が０となるまで、逐次、遅延時間（Ｔｐ−Ｔｒ）の算出とその判定を繰り返す。
【００４４】
Ｓ７で遅延時間（Ｔｐ−Ｔｒ）が０になれば、制御装置１１０は、Ｓ８に進み、スイッチ１０２をチューナ１００のＴＳ側に切り替える。これにより、オンエア放送のＴＳは、スイッチ１０２を通り、復号部１０３で復号され、復号された番組映像と番組音声が表示部１０４で再生される。すなわち、表示部１０４のスクリーン１０４４に投影される番組が、記録再生部１０１に記録された番組からオンエア放送の番組に切り替わることになる。そして、制御装置１１０は、Ｓ９で、記録再生部１０１の追いかけ再生を停止（記録も停止）し、追いかけ再生制御処理を終了する。
【００４５】
以上述べたように、本実施例は、放電ランプ１０４１が点灯し表示部１０４が投影可能な状態になるまで、チューナ１００の所望番組を記録再生部１０１に記録しておき、表示部１０４で投影可能となったら、記録再生部１０１で書き込みより読み出しを早くする追いかけ再生を行い、オンエア放送に追い付いた所でオンエア放送に切り替える。これにより、従来、表示部１０４が投影可能な状態になるまで見ることができなかった番組の部分の視聴が可能となる。
【図面の簡単な説明】
【００４６】
【図１】本実施の形態に係る投射型表示装置のブロック構成図。
【図２】本実施の形態に係る投射型表示装置のブロック構成図。
【図３】本実施例による追いかけ再生制御手段の一追いかけ再生制御処理フロー図。
【符号の説明】
【００４７】
１…投射型表示装置、１０…追いかけ再生制御手段、１００…チューナ、１０１…記録再生部、１０２…スイッチ、１０３…復号部、１０４…表示部、１０５…放電ランプ点灯検出センサ、１０７…放送時刻取得部、１０８…再生時刻取得部、１１０…制御装置、１０４１…放電ランプ、１０４２…映像表示素子、１０４３…投射手段、１０４４…スクリーン
【図１】
2008147803.tif 000003
【図２】
2008147803.tif 000004
【図３】
2008147803.tif 000005